【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
第１の通信相手との通信中に第２の通信相手からの着信があった場合に通信回線から送出される発信者ＩＤ情報を受信する機能を備えた通信装置であって、
当該着信が着信拒否の対象になるか否かを前記発信者ＩＤ情報に基づき判定する着信拒否判定手段と、着信拒否相手からの着信に対して着信を拒否する着信拒否手段とを有し、
前記第１の通信相手との通信中に前記第２の通信相手からの着信があり、前記発信者ＩＤ情報を受信すると共に、前記着信拒否判定手段により着信拒否対象であると判定した場合は、前記第１の通信相手との通信終了後に、情報受信端末起動信号を検出するより先に呼出信号を検出したときは、前記着信拒否手段により着信拒否動作を実行することを特徴とする通信装置。
【請求項２】
時間を計測する計時手段を有し、
前記第１の通信相手との通信中に前記第２の通信相手からの着信があり、前記発信者ＩＤ情報を受信すると共に、前記着信拒否判定手段により着信拒否対象であると判定した場合は、前記第１の通信相手との通信終了時点で前記計時手段により時間計測を開始し、前記計時手段による計測時間が一定の時間を経過する前に、前記情報受信端末起動信号を検出するより先に前記呼出信号を検出したときは、前記着信拒否手段により着信拒否動作を実行することを特徴とする請求項１記載の通信装置。
【請求項３】
第１の通信相手との通信中に第２の通信相手からの着信があった場合に通信回線から送出される発信者ＩＤ情報を受信する機能を備えた通信装置であって、
当該着信が着信拒否の対象になるか否かを前記発信者ＩＤ情報に基づき判定する着信拒否判定手段と、着信拒否相手からの着信に対して着信を拒否する着信拒否手段とを有し、
前記第１の通信相手との通信中に前記第１の通信相手以外の通信相手からの着信が複数回あり、該複数回の着信の最後の着信時に前記発信者ＩＤ情報を受信すると共に、前記着信拒否判定手段により着信拒否対象であると判定した場合は、前記第１の通信相手との通信終了後に、情報受信端末起動信号を検出するより先に呼出信号を検出したときは、前記着信拒否手段により着信拒否動作を実行し、前記着信拒否判定手段により着信拒否対象でないと判定した場合は、前記第１の通信相手との通信終了後に、情報受信端末起動信号を検出するより先に呼出信号を検出しても、前記着信拒否手段により着信拒否動作を実行しないことを特徴とする通信装置。
【請求項４】
第１の通信相手との通信中に第２の通信相手からの着信があった場合に通信回線から送出される発信者ＩＤ情報を受信する機能を備えた通信装置に適用される着信拒否動作制御方法であって、
当該着信が着信拒否の対象になるか否かを前記発信者ＩＤ情報に基づき判定する着信拒否判定工程と、着信拒否相手からの着信に対して着信を拒否する着信拒否工程とを有し、
前記第１の通信相手との通信中に前記第２の通信相手からの着信があり、前記発信者ＩＤ情報を受信すると共に、前記着信拒否判定工程により着信拒否対象であると判定した場合は、前記第１の通信相手との通信終了後に、情報受信端末起動信号を検出するより先に呼出信号を検出したときは、前記着信拒否工程により着信拒否動作を実行することを特徴とする着信拒否動作制御方法。
【請求項５】
第１の通信相手との通信中に第２の通信相手からの着信があった場合に通信回線から送出される発信者ＩＤ情報を受信する機能を備えた通信装置に適用される着信拒否動作制御方法であって、
当該着信が着信拒否の対象になるか否かを前記発信者ＩＤ情報に基づき判定する着信拒否判定工程と、着信拒否相手からの着信に対して着信を拒否する着信拒否工程とを有し、
前記第１の通信相手との通信中に前記第１の通信相手以外の通信相手からの着信が複数回あり、該複数回の着信の最後の着信時に前記発信者ＩＤ情報を受信すると共に、前記着信拒否判定工程により着信拒否対象であると判定した場合は、前記第１の通信相手との通信終了後に、情報受信端末起動信号を検出するより先に呼出信号を検出したときは、前記着信拒否工程により着信拒否動作を実行し、前記着信拒否判定工程により着信拒否対象でないと判定した場合は、前記第１の通信相手との通信終了後に、情報受信端末起動信号を検出するより先に呼出信号を検出しても、前記着信拒否工程により着信拒否動作を実行しないことを特徴とする着信拒否動作制御方法。
【請求項６】
第１の通信相手との通信中に第２の通信相手からの着信があった場合に通信回線から送出される発信者ＩＤ情報を受信する機能を備えた通信装置に適用される着信拒否動作制御方法を実行するプログラムを記憶したコンピュータにより読み出し可能な記憶媒体であって、
前記着信拒否動作制御方法は、当該着信が着信拒否の対象になるか否かを前記発信者ＩＤ情報に基づき判定する着信拒否判定ステップと、着信拒否相手からの着信に対して着信を拒否する着信拒否ステップとを有し、
前記第１の通信相手との通信中に前記第２の通信相手からの着信があり、前記発信者ＩＤ情報を受信すると共に、前記着信拒否判定ステップにより着信拒否対象であると判定した場合は、前記第１の通信相手との通信終了後に、情報受信端末起動信号を検出するより先に呼出信号を検出したときは、前記着信拒否ステップにより着信拒否動作を実行することを特徴とする記憶媒体。
【請求項７】
第１の通信相手との通信中に第２の通信相手からの着信があった場合に通信回線から送出される発信者ＩＤ情報を受信する機能を備えた通信装置に適用される着信拒否動作制御方法を実行するプログラムを記憶したコンピュータにより読み出し可能な記憶媒体であって、
前記着信拒否動作制御方法は、当該着信が着信拒否の対象になるか否かを前記発信者ＩＤ情報に基づき判定する着信拒否判定ステップと、着信拒否相手からの着信に対して着信を拒否する着信拒否ステップとを有し、
前記第１の通信相手との通信中に前記第１の通信相手以外の通信相手からの着信が複数回あり、該複数回の着信の最後の着信時に前記発信者ＩＤ情報を受信すると共に、前記着信拒否判定ステップにより着信拒否対象であると判定した場合は、前記第１の通信相手との通信終了後に、情報受信端末起動信号を検出するより先に呼出信号を検出したときは、前記着信拒否ステップにより着信拒否動作を実行し、前記着信拒否判定ステップにより着信拒否対象でないと判定した場合は、前記第１の通信相手との通信終了後に、情報受信端末起動信号を検出するより先に呼出信号を検出しても、前記着信拒否ステップにより着信拒否動作を実行しないことを特徴とする記憶媒体。
【手続補正２】
【補正対象書類名】明細書
【補正対象項目名】０００８
【補正方法】変更
【補正の内容】
【０００８】
【課題を解決するための手段】
上記目的を達成するため、請求項１記載の発明は、第１の通信相手との通信中に第２の通信相手からの着信があった場合に通信回線から送出される発信者ＩＤ情報を受信する機能を備えた通信装置であって、当該着信が着信拒否の対象になるか否かを前記発信者ＩＤ情報に基づき判定する着信拒否判定手段と、着信拒否相手からの着信に対して着信を拒否する着信拒否手段とを有し、前記第１の通信相手との通信中に前記第２の通信相手からの着信があり、前記発信者ＩＤ情報を受信すると共に、前記着信拒否判定手段により着信拒否対象であると判定した場合は、前記第１の通信相手との通信終了後に、情報受信端末起動信号を検出するより先に呼出信号を検出したときは、前記着信拒否手段により着信拒否動作を実行することを特徴とする。


【手続補正３】
【補正対象書類名】明細書
【補正対象項目名】０００９
【補正方法】変更
【補正の内容】
【０００９】
上記目的を達成するため、請求項２記載の発明は、時間を計測する計時手段を有し、前記第１の通信相手との通信中に前記第２の通信相手からの着信があり、前記発信者ＩＤ情報を受信すると共に、前記着信拒否判定手段により着信拒否対象であると判定した場合は、前記第１の通信相手との通信終了時点で前記計時手段により時間計測を開始し、前記計時手段による計測時間が一定の時間を経過する前に、前記情報受信端末起動信号を検出するより先に前記呼出信号を検出したときは、前記着信拒否手段により着信拒否動作を実行することを特徴とする。


【手続補正４】
【補正対象書類名】明細書
【補正対象項目名】００１０
【補正方法】変更
【補正の内容】
【００１０】
上記目的を達成するため、請求項３記載の発明は、第１の通信相手との通信中に第２の通信相手からの着信があった場合に通信回線から送出される発信者ＩＤ情報を受信する機能を備えた通信装置であって、当該着信が着信拒否の対象になるか否かを前記発信者ＩＤ情報に基づき判定する着信拒否判定手段と、着信拒否相手からの着信に対して着信を拒否する着信拒否手段とを有し、前記第１の通信相手との通信中に前記第１の通信相手以外の通信相手からの着信が複数回あり、該複数回の着信の最後の着信時に前記発信者ＩＤ情報を受信すると共に、前記着信拒否判定手段により着信拒否対象であると判定した場合は、前記第１の通信相手との通信終了後に、情報受信端末起動信号を検出するより先に呼出信号を検出したときは、前記着信拒否手段により着信拒否動作を実行し、前記着信拒否判定手段により着信拒否対象でないと判定した場合は、前記第１の通信相手との通信終了後に、情報受信端末起動信号を検出するより先に呼出信号を検出しても、前記着信拒否手段により着信拒否動作を実行しないことを特徴とする。


【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
上記目的を達成するため、請求項４記載の発明は、第１の通信相手との通信中に第２の通信相手からの着信があった場合に通信回線から送出される発信者ＩＤ情報を受信する機能を備えた通信装置に適用される着信拒否動作制御方法であって、当該着信が着信拒否の対象になるか否かを前記発信者ＩＤ情報に基づき判定する着信拒否判定工程と、着信拒否相手からの着信に対して着信を拒否する着信拒否工程とを有し、前記第１の通信相手との通信中に前記第２の通信相手からの着信があり、前記発信者ＩＤ情報を受信すると共に、前記着信拒否判定工程により着信拒否対象であると判定した場合は、前記第１の通信相手との通信終了後に、情報受信端末起動信号を検出するより先に呼出信号を検出したときは、前記着信拒否工程により着信拒否動作を実行することを特徴とする。


【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
上記目的を達成するため、請求項５記載の発明は、第１の通信相手との通信中に第２の通信相手からの着信があった場合に通信回線から送出される発信者ＩＤ情報を受信する機能を備えた通信装置に適用される着信拒否動作制御方法であって、当該着信が着信拒否の対象になるか否かを前記発信者ＩＤ情報に基づき判定する着信拒否判定工程と、着信拒否相手からの着信に対して着信を拒否する着信拒否工程とを有し、前記第１の通信相手との通信中に前記第１の通信相手以外の通信相手からの着信が複数回あり、該複数回の着信の最後の着信時に前記発信者ＩＤ情報を受信すると共に、前記着信拒否判定工程により着信拒否対象であると判定した場合は、前記第１の通信相手との通信終了後に、情報受信端末起動信号を検出するより先に呼出信号を検出したときは、前記着信拒否工程により着信拒否動作を実行し、前記着信拒否判定工程により着信拒否対象でないと判定した場合は、前記第１の通信相手との通信終了後に、情報受信端末起動信号を検出するより先に呼出信号を検出しても、前記着信拒否工程により着信拒否動作を実行しないことを特徴とする。


【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
上記目的を達成するため、請求項６記載の発明は、第１の通信相手との通信中に第２の通信相手からの着信があった場合に通信回線から送出される発信者ＩＤ情報を受信する機能を備えた通信装置に適用される着信拒否動作制御方法を実行するプログラムを記憶したコンピュータにより読み出し可能な記憶媒体であって、前記着信拒否動作制御方法は、当該着信が着信拒否の対象になるか否かを前記発信者ＩＤ情報に基づき判定する着信拒否判定ステップと、着信拒否相手からの着信に対して着信を拒否する着信拒否ステップとを有し、前記第１の通信相手との通信中に前記第２の通信相手からの着信があり、前記発信者ＩＤ情報を受信すると共に、前記着信拒否判定ステップにより着信拒否対象であると判定した場合は、前記第１の通信相手との通信終了後に、情報受信端末起動信号を検出するより先に呼出信号を検出したときは、前記着信拒否ステップにより着信拒否動作を実行することを特徴とする。


【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上記目的を達成するため、請求項７記載の発明は、第１の通信相手との通信中に第２の通信相手からの着信があった場合に通信回線から送出される発信者ＩＤ情報を受信する機能を備えた通信装置に適用される着信拒否動作制御方法を実行するプログラムを記憶したコンピュータにより読み出し可能な記憶媒体であって、前記着信拒否動作制御方法は、当該着信が着信拒否の対象になるか否かを前記発信者ＩＤ情報に基づき判定する着信拒否判定ステップと、着信拒否相手からの着信に対して着信を拒否する着信拒否ステップとを有し、前記第１の通信相手との通信中に前記第１の通信相手以外の通信相手からの着信が複数回あり、該複数回の着信の最後の着信時に前記発信者ＩＤ情報を受信すると共に、前記着信拒否判定ステップにより着信拒否対象であると判定した場合は、前記第１の通信相手との通信終了後に、情報受信端末起動信号を検出するより先に呼出信号を検出したときは、前記着信拒否ステップにより着信拒否動作を実行し、前記着信拒否判定ステップにより着信拒否対象でないと判定した場合は、前記第１の通信相手との通信終了後に、情報受信端末起動信号を検出するより先に呼出信号を検出しても、前記着信拒否ステップにより着信拒否動作を実行しないことを特徴とする。


【手続補正１３】
【補正対象書類名】明細書
【補正対象項目名】００１９
【補正方法】削除
【補正の内容】
【手続補正１４】
【補正対象書類名】明細書
【補正対象項目名】００７３
【補正方法】変更
【補正の内容】
【００７３】
【発明の効果】
以上説明したように、請求項１記載の通信装置によれば、第１の通信相手との通信中に第２の通信相手からの着信があり、発信者ＩＤ情報を受信すると共に、着信拒否判定手段により着信拒否対象であると判定した場合は、第１の通信相手との通信終了後に、情報受信端末起動信号を検出するより先に呼出信号を検出したときは、着信拒否手段により着信拒否動作を実行するため、下記の効果を奏する。


【手続補正１５】
【補正対象書類名】明細書
【補正対象項目名】００７４
【補正方法】変更
【補正の内容】
【００７４】
第１の通信相手との通信中に着信拒否相手から着信があり、第１の通信相手との通信が終了するまで着信拒否相手が呼出を継続していた場合に、発信者ＩＤ情報の通知なしに着信拒否相手からの呼出信号が到来しても、着信拒否相手に対して着信拒否動作をすることができるようになる。即ち、着信拒否相手からのキャッチがあった場合に、情報受信端末起動信号より先に呼出信号を検出すると着信拒否動作を実行することができる。


【手続補正１６】
【補正対象書類名】明細書
【補正対象項目名】００７５
【補正方法】変更
【補正の内容】
【００７５】
請求項２記載の通信装置によれば、第１の通信相手との通信中に第２の通信相手からの着信があり、発信者ＩＤ情報を受信すると共に、着信拒否判定手段により着信拒否対象であると判定した場合は、第１の通信相手との通信終了時点で計時手段により時間計測を開始し、計時手段による計測時間が一定の時間を経過する前に、情報受信端末起動信号を検出するより先に呼出信号を検出したときは、着信拒否手段により着信拒否動作を実行するため、下記の効果を奏する。


【手続補正１７】
【補正対象書類名】明細書
【補正対象項目名】００７６
【補正方法】変更
【補正の内容】
【００７６】
第１の通信相手との通信中に着信拒否相手から着信があり、第１の通信相手との通信が終了するまで着信拒否相手が呼出を継続していた場合に、発信者ＩＤ情報の通知なしに着信拒否相手からの呼出信号が到来しても、着信拒否相手に対して着信拒否動作をすることができるようになり、且つ、着信拒否相手以外の通信相手に対して間違って着信拒否をする不具合を排除することができる。即ち、着信拒否相手からのキャッチがあった場合に、通信終了後、一定の時間の間に情報受信端末起動信号より先に呼出信号を検出すると着信拒否動作を実行することができる。


【手続補正１８】
【補正対象書類名】明細書
【補正対象項目名】００７７
【補正方法】変更
【補正の内容】
【００７７】
請求項３記載の通信装置によれば、第１の通信相手との通信中に第１の通信相手以外の通信相手からの着信が複数回あり、複数回の着信の最後の着信時に発信者ＩＤ情報を受信すると共に、着信拒否判定手段により着信拒否対象であると判定した場合は、第１の通信相手との通信終了後に、情報受信端末起動信号を検出するより先に呼出信号を検出したときは、着信拒否手段により着信拒否動作を実行し、着信拒否判定手段により着信拒否対象でないと判定した場合は、第１の通信相手との通信終了後に、情報受信端末起動信号を検出するより先に呼出信号を検出しても、着信拒否手段により着信拒否動作を実行しないため、下記の効果を奏する。


【手続補正１９】
【補正対象書類名】明細書
【補正対象項目名】００７８
【補正方法】変更
【補正の内容】
【００７８】
複数回のキャッチがあり、着信拒否相手からのキャッチが最後であった場合は、通信終了後、情報受信端末起動信号より先に呼出信号を検出すると着信拒否動作を実行し、最後のキャッチが着信拒否相手でなかった場合は、それ以前に着信拒否相手からのキャッチがあっても、通信終了後、情報受信端末起動信号より先に呼出信号を検出しても着信拒否動作を実行しないようにすることができる。


【手続補正２０】
【補正対象書類名】明細書
【補正対象項目名】００７９
【補正方法】変更
【補正の内容】
【００７９】
また、請求項４、５記載の着信拒否動作制御方法、請求項６、７記載の記憶媒体においても、上記と同様に、発信者ＩＤ情報の通知なしに着信拒否相手からの呼出信号が到来しても、着信拒否相手に対して着信拒否動作をすることができ、着信拒否相手からのキャッチがあった場合に、通信終了後、一定の時間の間に情報受信端末起動信号より先に呼出信号を検出すると着信拒否動作を実行することができ、最後のキャッチが着信拒否相手でなかった場合は、それ以前に着信拒否相手からのキャッチがあっても、通信終了後、情報受信端末起動信号より先に呼出信号を検出しても着信拒否動作を実行しないようにすることができる。